(57)【要約】【課題】宇宙船の無重力状態でも鋳造用鋳型に溶解金属を少しずつ圧入出来る、手で持てるよう防熱対策を行なった、片手でピストンを押す、先端ノズルを取替出来る、るつぼを提供する。【解決手段】ネジで２個に分割可能な耐熱合金（タングステンを添加したニッケル−クロム鋼など）製、又はセラミック製の容器の先端のノズルをこれ又、ネジで取替可能に、もう一方の容器の半割部にポンプ式ピストンを設け、外部にピストンの棒の先に耐熱（熱くないように）にぎり部を差し込み片手でピストンに圧力を加えられるようにして溶融金属の入る容器全体の中央部分に内部に形状の影響を与えないくびれを設けくびれの巾の鉗子で胴体全体をつかむ事のできる、るつぼを提供する。【選択図】図１
2015037793.tif 000002
【特許請求の範囲】
【請求項１】
ネジによる取替ノズルを有する円筒形の金属溶解用の加熱容器であって前後２個にネジで分割可能な（材料）を入れる口を持ち電気炉中に置く坩堝の役割を持つ胴体のくびれ部分をその巾の鉗子で持ちピストンを片手で押し込む方式により鋳造鋳型に溶解金属を注入する宇宙船の無重力でも鋳造可能なポンプ式坩堝
【発明の詳細な説明】
【技術分野】
【０００１】
【背景技術】
【０００２】特願２００９−２８８４０４
【発明の概要】
【０００３】特願２００９−２８８４０４、発泡ポリスチレン加工専用旋盤を宇宙船内で使用可能にするのに必要不可欠な高温溶融材料を鋳型に注入する為の手動ポンプ。受信時、又は受信メモリーより
【発明が解決しようとする課題】
【０００４】私が先般出願中の特願２００９−２８８４０４発泡ポリスチレン加工専用旋盤が開発され、将来無線通信が可能となると地上から宇宙船へ発泡ポリスチレン製物体が送受信（宇宙船への送信はメモリーに記憶される）可能となる。しかし本来の目的である各種材質の製品に交換する事は宇宙では無重力の為鋳造出来なかった。これを解決するには重力に関係なく鋳型に圧入（高温溶融物）してやる必要がある。又その為のポンプは使い拾てでなく何度も使用可能でなくてはならない。その為にはポンプは手動操作出来なくてはならない。
【課題を解決するための手段】
【０００５】宇宙では無重力の為、重いのはかまわないがノズル部分はネジにより取りはずして使い拾てにしてバリ（ｂｕｒｒ）がつまれば取り替える。
高温の為に手に持てない点については内部は円滑なまま、外周部分の中央に細いくびれ部を設けその巾の鉗子で片手ではさんで持てるようにした。そのやや後方にネジで円筒を二つに分割出来る様にした。ポンプは後方の円筒から先端内部の形状に合わせた押し出し部を長い棒状にして後方中央から突き出した。その棒は高温になるので耐えられるにぎりをはめて手で圧力をかけてノズルを耐熱材（石膏等）にあけた穴に当て材料を圧入出来る様にしたネジで円筒を二つに分割出来るので後で手入れが可能である。
【発明の効果】
【０００６】地上から無線で運転情報を送信しても製品化出来ない点が解決した。受信時間が長くかかるのを我慢出来れば地上でも製品化可能であるのはもちろんである。のみならず宇宙船と宇宙基地間での送受信も可能となる。宇宙送受信にはライセンスが必要である。
【図面の簡単な説明】
【０００７】手動ポンプ（中に材料粉末を詰めて溶解するために電気炉で強熱する。）又その図面の下に円筒のくびれ部分をつかむ鉗子の図を示めす
【図１】「高温溶融物体鋳造用圧力注入機（ポンプ）の中央縦割図」である。
【図２】「図１」のくびれ部分をつかむ、くびれ部分の巾の鉗子の斜視図」である。
【発明を実施するための形態】
【０００８】宇宙船内で使用の（他用も可）為には鋳造体は装飾性よりも機械的強度が求められるであろう。その為には少なくとも青銅（砲金）が溶解するだけの高温の炉に入れて使用されなくてはならない。又、ガラス、プラスチックも利用出来ねばならない。
従ってポンプの材質は耐熱合金又はセラミック製が要求される。
【実施例】出願者は以前アルミなべでハンダ棒を溶融させて（炭火による加熱）巾１ｃｍ、深さ約２ｃｍの木刀の溝（黒檀）に筋金を入れた事がある。木刀は良く熱に耐え現在も所持している。以上
【産業上の利用可能性】
【０００９】無重力に耐え得るので地上と宇宙船、宇宙基地と宇宙船間の物体送受信が可能になる。ただし送受信に時間がかかるので宇宙船から地上のイベント会場への例えばトロフィの送信はこの方式では不可能である。光硬化性樹脂による光重合、つまり造像技術の完成を待たなければならない。
イベント会場の観客が帰ってしまうからである。
【符号の説明】
【００１０】Ａ．ノズル交換用ふたのネジ
Ｂ．ノズルの耐熱ふた（使用時には不要）
Ｃ．本体分割用ネジ（材料入れ口）
Ｄ．ポンプ棒の形状、（Ｅに対応している）ピストンである
Ｅ．本体先端部の形状
Ｆ．熱いピストンにはめるにぎり。
【図１】
2015037793.tif 000003
【図２】
2015037793.tif 000004
【手続補正書】
【提出日】平成22年12月6日(2010.12.6)
【手続補正１】
【補正対象書類名】明細書
【補正対象項目名】全文
【補正方法】変更
【補正の内容】
【発明の詳細な説明】
【技術分野】
【０００１】  工具（るつぼ）
【背景技術】
【０００２】  発泡ポリスチレン樹脂体を無線通信可能なパソコンで運転制御する（発熱バイト又はレーザー光で加工する旋盤）の技術により送受信する。
【発明の概要】
【０００３】  無線通信可能なパソコンで運転製御される発泡ポリスチレン加工専用旋盤を宇宙船内で受信時、又は受信メモリーより使用可能にするのに必要不可欠な、高温溶融材料を鋳型に注入するための手動ポンプ式るつぼ
【発明が解決しようとする課題】
【０００４】  無線通信可能なパソコンで運転制御可能な発泡ポリスチレン樹脂体を熱加工専用旋盤が開発され、将来無線通信による物体（品物）の送受信が可能になると地上から宇宙船へ発泡ポリスチレン樹脂製物体（品物）送受信（宇宙船への送信はメモリーに受信記憶されるのが望ましい）可能となる。しかし、本来の目的である各種材質（特に金属製品）製品に変換する事は宇宙では無重力のため、鋳造出来なかった。これを解決するには重力に関係なく、圧入（高温溶融物）してやる必要がある。又、その為のポンプは使い捨てではなく何度も使用可能でなくてはならない。又ノズルはバリ（ｂｕｒｒ）がつまるたびに使い捨てが可能である必要がある。
【課題を解決するための手段】
【０００５】宇宙では無重力のため、重いのはかまわないがノズル部分はネジにより取り外して使い捨てにして、バリ（ｂｕｒｒ）が詰まれば取り替える。
高温の為に手に持てない点については内部は円滑なまま、外周部分の中央に細いくびれ部を設け、その巾の鉗子で、片手ではさんで持てるようにした。
そのやや後方にネジで円筒を二つに分割出来る様にして内容物を装入出来、又後で手入れが出来る様にした。
ポンプは後方の円筒から先端内部の形状に合わせた押し出し部を長い棒状にして後方中央からつき出した。
その棒は高温になるので耐熱性のあるにぎりをはめて、手で圧力をかけてノズルを耐熱鋳型（石膏等）にあけた穴に当て材料を圧入出来るようにした。
【発明の効果】
【０００６】地上から無線でパソコンからの運転情報を受信しても製品化出来なかった点が解決した。受信時間が長くかかるのをがまん出来れば、地上に送信、製品化も出来るのはもちろんである。
のみならず宇宙船と宇宙基地での送受信も可能となる。
地上からの宇宙基地への送受信は宇宙船内の物資節約のためライセンスが必要である。
【図面の簡単な説明】
【０００７】手動ポンプ（中に金属材料の顆粒を詰めて電気炉で強熱し溶解させる。）又、その図面１の下に円筒のくびれ部分をはさむ鉗子の図（図面２）を示めす。
【図１】高温溶融物体鋳造用圧力注入機（ポンプ）の中央部縦割図である。図面１の注入ノズルの構造の変更部分を黒く図示した。
【図２】（図１）のくびれ部分をつかむ、くびれ部分の巾の鉗子の斜視図である。
【符号の説明】
【０００８】Ａ、ノズル交換ふたのネジ
Ｂ、ノズルの耐熱栓（使用時には不要）
Ｃ、本体分割用ネジ（材料装入口）
Ｄ、ポンプ棒の形状（Ｅに対応している）ピストンである。
Ｅ、本体先端部の形状
Ｆ、熱いピストンにはめる耐熱にぎり部。
【発明を実施するための形態】
【０００９】宇宙船内で使用（他用も可）する為には鋳造体は装飾性よりも機械的強度が求められる。その為には少なくとも青銅（砲金）が溶解するだけの高温の電気炉に入れて使用されなくてはならない。又、ガラス、熱可塑性樹脂も利用出来る。
したがって、るつぼ（ポンプ）の材質は耐熱合金又はセラミック製が適当である。
【実施例】
【００１０】出願者は以前、アルミ鍋でハンダ棒を溶解させて（炭火による加熱）巾１ｃｍ、深さ約２ｍｍの木刀（黒檀製）の背の溝に筋金を入れた事がある。木刀はよく熱に耐え、現在も所持している。
【産業上の利用可能性】
【００１１】無重力下でも使用出来るので宇宙基地と宇宙船間での物体送受信、地上から宇宙基地への物体送受信が可能となる。ただし、送受信に時間がかかるので宇宙基地から地上のイベント会場への、例えばトロフィの送信はこの方式では無理がある。なぜならばイベント会場の客が帰ってしまうからである。
【手続補正２】
【補正対象書類名】特許請求の範囲
【補正対象項目名】全文
【補正方法】変更
【補正の内容】
【特許請求の範囲】
【請求項１】
ネジによる取替ノズルを有する円筒形の金属溶解用の加熱容器であって前後２個にネジで分割可能な（材料）を入れる口を持ち電気炉中におく、るつぼの役割を持つ胴体のくびれ部分をその巾の鉗子で持ち、ピストンを片手で押し込む方式により鋳造鋳型に溶解金属を注入する宇宙船の無重力下でも鋳造可能なポンプ
【手続補正３】
【補正対象書類名】図面
【補正対象項目名】全図
【補正方法】変更
【補正の内容】
【図１】
2015037793.tif 000005
【図２】
2015037793.tif 000006